(57)【特許請求の範囲】
【請求項１】
コンクリート体に形成された透水孔等の透孔に嵌合される筒状の内面補強部と、該内面補強部の上側開口外周縁部にフランジ状に形成されたフランジ部と、前記内面補強部の下側開口周縁部に突設された一対の互いに平行な一対の係止部とを備え、該係止部は、弾性を有する板状材により構成され、その下縁部に外側上方に向けて突設された抜け止め爪を一体に有し、前記フランジ部は内面補強部の上縁外周より斜め下方に向けて突設させて挿抜方向のバネ性を持たせたことを特徴としてなる透孔縁部補強具。
【請求項２】
矩形状をした弾性板状材からなる本体部と、該本体部の上縁に一体に備えたフランジ片と、前記本体部の下縁に一体に備えた抜け止め爪とからなる一対の係止部材と、該係止部材を、前記フランジ片及び抜け止め爪を外側に向けて互いに対向させて並行に配置し、該係止部材の長手方向側の両端間を断面コ字状をした一対の接続部材をもって連結することにより長方形筒状の内面補強部を構成し、前記係止部材下端部を前記係止部としてなる請求項１に記載の透孔縁部補強具。
【請求項３】
コンクリート体に透水孔等の透孔を形成しておき、該透孔に嵌合される筒状の内面補強部と、該内面補強部の上側開口外周縁部にフランジ状に形成されたフランジ部と、前記内面補強部の下側開口周縁部に突設された一対の互いに平行な一対の係止部とを備え、該係止部は、弾性を有する板状材により構成され、その下縁部に外側上方に向けて突設された抜け止め爪を一体に有し、前記フランジ部は内面補強部の上縁外周より斜め下方に向けて突設させて挿抜方向のバネ性を持たせた透孔縁部補強具を前記透孔に挿入し、前記フランジ部を前記孔の表面側開口の周縁に係止させた状態で前記内面補強部を前記透孔内に嵌め込むことにより前記透孔縁部補強具により前記透孔の開口縁部分を覆うとともに、前記フランジ部を変形させて押し戻し方向の応力を生じさせた状態で前記抜け止め爪を、前記透孔の該裏面側開口の周縁に係合させることを特徴としてなる記載のコンクリート体の透孔縁部補強方法。
【請求項４】
透孔の表面側開口の周縁にフランジ部逃げ用凹部を形成した請求項３に記載のコンクリート体の透孔縁部補強方法。
【請求項５】
透孔縁部補強具のフランジ部の上面を押圧する押圧部と、該押圧部の下面に一体に突設され、前記透孔縁部補強具の内面補強部内に嵌合される保形部と、該保形部の下端に一体に突設されたテーパ状の拡開部とを有する挿入治具を使用し、該挿入時具の保形部を前記透孔縁部補強具の内面補強部に嵌合させた状態で該透光縁部補強部材をコンクリート体の透孔に挿入し、該挿入治具によりフランジ部を弾性変形させるとともに係止部材を押し広げて、該抜け止め爪を前記透孔の裏面側開口の周縁に係合させた後、前記挿入治具を取り外す請求項３又は４に記載のコンクリート体の透孔縁部補強方法。
【発明の詳細な説明】
【０００１】
【発明の属する技術分野】
本発明は、主にコンクリート体に形成された透水孔等の透孔の縁部が欠損するのを防止するための透孔縁部補強具及び該補強具を使用したコンクリート体の透孔縁部補強方法に関する。
【０００２】
【従来の技術】
一般に、道路の側溝を構成するコンクリート版或いは中空函状のコンクリート体の上面には透水孔が穿孔され、雨天等により発生した水がこの透水孔より側溝内に流れ込み排水できるようになっている。しかし、透水孔の縁部は、コンクリートが打ちさらしの状態にあるので、開口縁部が欠損し易いという問題があり、透水孔の開口縁部が欠損することによって、透水孔の孔幅が広がり、例えば、自転車や車椅子等の車輪が該透水孔に填り込む危険性が増大するなどの問題があった。また、側溝以外に用いられるコンクリート体でも、該コンクリート体に設けた透孔の開口縁部の欠損により不都合が生じることがある。
【０００３】
そこで、図６に示すように、型枠１内に補強部材２，２により透孔の縁部が形成されるように補強部材２，２をインサートした状態でコンクリート３を打設し、補強部材２により透孔の開口縁部を覆って透孔の開口縁部を補強するものが開発されている。尚、図中、符号４は中空函状のコンクリート体を成形する際に使用する中子である。
【０００４】
【発明が解決しようとする課題】
しかし、上述のような従来の技術では、コンクリート打設時にバイブレーションをかけることにより補強部材と成型型枠との間に隙間が生じ、そこからコンクリートが流れ込む、所謂トロ漏れが発生し、該補強部材の表面周辺にコンクリートが流れた跡が現れ、美観を損ねるという問題があった。
【０００５】
本発明は、このような従来の技術の状況を鑑み、コンクリート体を美麗に形成すると共に、該透孔開口縁部の欠損を好適に防止する透孔縁部補強具及び該補強具を使用したコンクリート体の透孔縁部補強方法の提供を目的とする。
【０００６】
【課題を解決するための手段】
上述の如き従来の問題を解決し、所期の目的を達成するための請求項１に記載の発明は、コンクリート体に形成された透水孔等の透孔に嵌合される筒状の内面補強部と、該内面補強部の上側開口外周縁部にフランジ状に形成されたフランジ部と、前記内面補強部の下側開口周縁部に突設された一対の互いに平行な一対の係止部とを備え、該係止部は、弾性を有する板状材により構成され、その下縁部に外側上方に向けて突設された抜け止め爪を一体に有し、前記フランジ部は内面補強部の上縁外周より斜め下方に向けて突設させて挿抜方向のバネ性を持たせたことを特徴としてなる透孔縁部補強具にある。
【０００７】
また、請求項２に記載の発明の特徴は、前記請求項１の構成に加え、矩形状をした弾性板状材からなる本体部と、該本体部の上縁に一体に備えたフランジ片と、前記本体部の下縁に一体に備えた抜け止め爪とからなる一対の係止部材と、該係止部材を、前記フランジ片及び抜け止め爪を外側に向けて互いに対向させて並行に配置し、該係止部材の長手方向側の両端間を断面コ字状をした一対の接続部材をもって連結することにより長方形筒状の内面補強部を構成し、前記係止部材下端部を前記係止部としてたことにある。
【０００８】
更に、請求項３に記載の発明は、コンクリート体に透水孔等の透孔を形成しておき、該透孔に嵌合される筒状の内面補強部と、該内面補強部の上側開口外周縁部にフランジ状に形成されたフランジ部と、前記内面補強部の下側開口周縁部に突設された一対の互いに平行な一対の係止部とを備え、該係止部は、弾性を有する板状材により構成され、その下縁部に外側上方に向けて突設された抜け止め爪を一体に有し、前記フランジ部は内面補強部の上縁外周より斜め下方に向けて突設させて挿抜方向のバネ性を持たせた透孔縁部補強具を前記透孔に挿入し、前記フランジ部を前記孔の表面側開口の周縁に係止させた状態で前記内面補強部を前記透孔内に嵌め込むことにより前記透孔縁部補強具により前記透孔の開口縁部分を覆うとともに、前記フランジ部を変形させて押し戻し方向の応力を生じさせた状態で前記抜け止め爪を、前記透孔の該裏面側開口の周縁に係合させることを特徴としてなる記載のコンクリート体の透孔縁部補強方法にある。
【０００９】
また、請求項４に記載の発明の特徴は、前記請求項３の構成に加え、透孔の表面側開口の周縁にフランジ部逃げ用凹部を形成した請求項３に記載のコンクリート体の透孔縁部補強方法。
更に、請求項５に記載の発明の特徴は、前記請求項３又は４の構成に加え、透孔縁部補強具のフランジ部の上面を押圧する押圧部と、該押圧部の下面に一体に突設され、前記透孔縁部補強具の内面補強部内に嵌合される保形部と、該保形部の下端に一体に突設されたテーパ状の拡開部とを有する挿入治具を使用し、該挿入時具の保形部を前記透孔縁部補強具の内面補強部に嵌合させた状態で該透光縁部補強部材をコンクリート体の透孔に挿入し、該挿入治具によりフランジ部を弾性変形させるとともに係止部材を押し広げて、該抜け止め爪を前記透孔の裏面側開口の周縁に係合させた後、前記挿入治具を取り外すことにある。
【００１０】
【発明の実施の形態】
次に、本発明に係る透孔縁部補強具の実施の形態を図１〜図３について説明する。
【００１１】
図１は透孔縁部補強具による透孔縁部の補強状態を示し、符号１０は透水孔等の透孔１１が穿孔されたコンクリート体、符号１２は透孔縁部補強具である。
【００１２】
透孔縁部補強具１２は、ステンレス材等の弾性材からなる一対の係止部材１３，１３と、断面コ字状に形成された接続部材１４，１４とを備えて構成され、係止部材１３，１３を互いに対向させて並行に配置し、両者の両端部を接続部材１４，１４により接続することにより透孔１１に嵌合される長方形筒状をした内面補強部１５が形成されるようになっている。
【００１３】
各係止部材１３は、帯状、即ち矩形状をした本体部１６と、本体部１６上縁に沿って外向きに突設されたフランジ片１７と、本体部１６下縁に沿って外側上方に向かって突設された抜け止め爪１８とがそれぞれ折り曲げにより形成され、このフランジ片１７及び抜け止め爪１８を外側に向けて一対の係止部材１３，１３を互いに対向させて並行に配置し、両係止部材１３，１３の本体部１６，１６の長手方向側の両端間を前記接続部材１４，１４で連結することにより、一対のフランジ片１７，１７により内面補強部１５の上縁開口外周にフランジ部１９が、係止部材下端部により内面補強部１５の下縁に互いに平行な一対の係止部２０，２０が形成され、その両下端縁の外側に一対の抜け止め片１８，１８が斜め上向きに突設されるようになっている。尚、上縁及び下縁に沿ってフランジ片１７と抜け止め爪１８とを備えたことにより、本体部１６の長手方向の剛性が増し、長手方向の保形性が保たれるようになっている。
【００１４】
フランジ片１７は、係止部材本体部１６の上縁から外側稍斜め下向きに突設され、挿抜方向にバネ性を持たせている。
【００１５】
抜け止め爪１８は、外側斜め上向きに突設され、透孔１１に挿入した際には透孔内壁により狭められ、該透孔の裏面側開口より突出すると弾性力により回復して拡開し、爪の先端部分１８ａが透孔の裏面側開口縁部に係止するようになっている。
【００１６】
接続部材１４は、側板１４ａが係止部材１３の端部にネジ止め等によって固定されるようになっている。
【００１７】
このように構成することにより、透孔１１に対し、透孔縁部補強具１２が簡単に嵌め込むことができるとともに、フランジ部１９と抜け止め爪１８，１８によりコンクリート体１０の肉厚部を弾性的に挟持するので好適に固定されるようになっている。また、接続部材１４を透孔１１の幅によって取り替えることにより様々な幅の透孔に対応させることができる。
【００１８】
また、強制的に係止部２０及び／又は抜け止め爪１８，１８を撓ませて狭めることにより透孔１１より取り外すことも可能である。
【００１９】
次に上述した透孔縁部補強具１２を使用したコンクリート体の透孔縁部補強方法について、側溝等に用いられる中空函状のコンクリート体を例に説明する。
【００２０】
図４はコンクリート体のコンクリート打設状態を示し、符号３０はコンクリート成形用型枠、符号３１、３２はそれぞれコンクリート体の中空部を形性するための中空部中子、該中空部に連通した透孔を成形するための透孔用中子である。
【００２１】
また、図５はコンクリート体に設けられた透孔に透孔縁部補強具を挿入する工程を示し、符号３３は透孔縁部補強具１２を挿入するための挿入治具である。挿入治具３３は、図５に示すように、フランジ部１９の上面を押圧する押圧部３４と、押圧部３４の下面に一体に突設され、内面補強部１５内に嵌合される保形部３５と、該保形部３５の下面に一体に突設され、係止部材１３と対向する面が下方先細りのテーパ状に形性され、挿入時に係止部２０を押し広げる拡開部３６とを備えて構成されている。
【００２２】
まず、図４に示すように、型枠３０と一体に逃げ用凹部成型中子３７を設け、型枠３０内に中空部用中子３１、透孔用中子３２をセットし、コンクリートを打設する。このとき、バイブレーションをかけても、コンクリート体の表面部分には、型枠３０と逃げ用凹部成型中子３７との間に隙間ができることがないので、トロ漏れが発生することがなくコンクリート体の表面が美麗に仕上がる。また、透孔１１の表面開口側縁部にはフランジ部逃げ用凹部３８が形成される。尚、図中の符号３９は中空部用中子３１と透孔用中子３２とを固定するボルトである。
【００２３】
次に、図５に示すように、挿入治具３３を透孔縁部補強具１２に嵌め込み、この挿入治具１２を嵌め込んだ状態で透孔１１に透孔縁部補強具１２を挿入し、フランジ部１９の孔側面が透孔の表面側縁即ち逃げ用凹部３８の底面に当接するまで弾性変形させて押し込む。
【００２４】
このとき、下端の係止部２０が透孔１１の内壁面に押され、抜け止め爪１８が弾性的に内側に撓み、一方、挿入治具３３により内側より保形される。そして、透孔１１の裏面側開口より係止部２０が突出すると、図１に示すように、抜け止め爪１８，１８が弾性力により拡開するとともに、表面側開口縁部（即ち、逃げ用凹部底部）に反力をとるフランジ部１９のバネ性により、透孔縁部補強具１２が押し戻され抜け止め爪の先端部１８ａ，１８ａが透孔１１の裏面側開口縁部に係止される。よって、フランジ部１９と抜け止め爪１８，１８により透孔周縁の肉厚部を弾性的に挟持し、透孔１１に対し固定されるようになっている。
【００２５】
尚、逃げ用凹部３８の深さは、フランジ部１９の頂部がバネ性により所謂スプリングバックしても逃げ用凹部３８の上部開口より上に突出することがなく、該フランジ部頂部が逃げ用凹部３８の開口面とほぼ同一の位置にくるような深さに形成されている。
【００２６】
よって、透孔１１の開口縁部及び内縁部は透孔縁部補強具１２により覆われ、縁部の欠損が好適に防止されるようになる。
【００２７】
尚、上述の実施例では係止部材１３をステンレス材を用いた例について説明したが、弾性を有する合成樹脂、その他の材質をもって構成するようにしてもよく、また、透孔縁部補強具全体を一体に形成するようにしてもよい。
【００２８】
本発明に係る透孔縁部補強具は、コンクリート体に設けられた透孔のみでなく、その他材質により形成されたものに形成された透孔を補強する場合にも適用することができる。
【００２９】
また、既存のコンクリート体に形成された透孔に透孔縁部補強具を嵌合させ補強するようにしてもよい。
【００３０】
【発明の効果】
上述のように、本発明に係る透孔縁部補強具は、コンクリート体に形成された透水孔等の透孔に嵌合される筒状の内面補強部と、該内面補強部の上側開口外周縁部にフランジ状に形成されたフランジ部と、前記内面補強部の下側開口周縁部に突設された一対の互いに平行な一対の係止部とを備え、該係止部は、弾性を有する板状材により構成され、その下縁部に外側上方に向けて突設された抜け止め爪を一体に有し、前記フランジ部は内面補強部の上縁外周より斜め下方に向けて突設させて挿抜方向のバネ性を持たせたことにより、透孔の開口縁部を好適に覆って保護し、コンクリート等の透孔縁部の欠損を防止できるとともに、コンクリート体を打設した後、或いは既存の透孔であっても嵌合させることができる。
【００３１】
上縁に外向きに突設されたフランジ部を構成するフランジ片と、下縁に突設された抜け止め爪とが折り曲げにより形成された弾性材からなる一対の係止部材を備え、該係止部材と該係止部材の長手方向端部をそれぞれ接続する断面コ字状の接続部材により内面補強部を形成させたことにより、接続部材の幅を変更させることで様々な幅の透孔に対応させることができる。また、フランジ片と抜け止め片を上縁及び下縁に沿って折り曲げにより形成したことにより、長手方向の剛性が向上し、保形性が保たれるので、補強用のリム等が不必要となり部品点数を減り、製作コストが低減する。
【００３２】
フランジ部は内面補強部の上縁外周より斜め下方に突設させ、挿抜方向のバネ性を持たせたことにより、透孔周辺の肉部を抜け止め爪とフランジ部で弾性的に挟持することとなり、透孔に対し補強具を好適に固定することができる。
【００３３】
また、本発明に係るコンクリート体の透孔縁部補強方法は、コンクリート体に透水孔等の透孔を形成しておき、該透孔に嵌合される筒状の内面補強部と、該内面補強部の上側開口外周縁部にフランジ状に形成されたフランジ部と、前記内面補強部の下側開口周縁部に突設された一対の互いに平行な一対の係止部とを備え、該係止部は、弾性を有する板状材により構成され、その下縁部に外側上方に向けて突設された抜け止め爪を一体に有し、前記フランジ部は内面補強部の上縁外周より斜め下方に向けて突設させて挿抜方向のバネ性を持たせた透孔縁部補強具を前記透孔に挿入し、前記フランジ部を前記孔の表面側開口の周縁に係止させた状態で前記内面補強部を前記透孔内に嵌め込むことにより前記透孔縁部補強具により前記透孔の開口縁部分を覆うとともに、前記フランジ部を変形させて押し戻し方向の応力を生じさせた状態で前記抜け止め爪を、前記透孔の該裏面側開口の周縁に係合させるようにしたことにより、コンクリート打設時にインサート物をおく必要が無く、所謂トロ漏れがなく、コンクリート体の表面を美麗に仕上げることができるとともに、好適に透孔開口縁部及び内縁部を補強具により覆い保護することができる。
【００３４】
透孔の表面側開口の周縁にフランジ部逃げ用凹部を形成したことにより、コンクリート体等の表面よりフランジ部の頂部が突出せず、自動車の車輪や除雪車等の作業部位と接触するようなことが無く安全である。
【００３５】
また、透孔縁部補強具のフランジ部の上面を押圧する押圧部と、該押圧部の下面に一体に突設され、前記透孔縁部補強具の内面補強部内に嵌合される保形部と、該保形部の下端に一体に突設されたテーパ状の拡開部とを有する挿入治具を使用し、該挿入時具の保形部を前記透孔縁部補強具の内面補強部に嵌合させた状態で該透光縁部補強部材をコンクリート体の透孔に挿入し、該挿入治具によりフランジ部を弾性変形させるとともに係止部材を押し広げて、該抜け止め爪を前記透孔の裏面側開口の周縁に係合させた後、前記挿入治具を取り外すことにより、透孔縁部補強具を形状を保ちつつ好適に透孔内に挿入することができ、抜け止め爪をしっかりと透孔裏面側開口縁部に係止させることができる。
【図面の簡単な説明】
【図１】  本発明に係る透孔縁部補強具の設置状態を示す断面図である。
【図２】  （Ａ）は同上の透孔縁部補強具を示す平面図、（Ｂ）は同上の正面図である。
【図３】  図２中のＡ−Ａ線断面図である。
【図４】  コンクリート体の成型状態を示す断面図である。
【図５】  透孔縁部補強具の挿入状態を示す断面図である。
【図６】  従来のコンクリート体の成型状態を示す断面図である。
【符号の説明】
１０  コンクリート体
１１  透孔
１２  透孔縁部補強具
１３  係止部材
１４  接続部材
１４ａ  側板
１５  内面補強部
１６  本体部
１７  フランジ片
１８  抜け止め爪
１８ａ  先端部
１９  フランジ部
２０  係止部
２１  取付用孔
３０  コンクリート成形用型枠
３１  中空部中子
３２  透孔用中子
３３  挿入治具
３４  押圧部
３５  保形部
３６  拡開部
３７  逃げ用凹部成形中子
３８  フランジ部逃げ用凹部
３９  ボルト
【図１】
0003768139.tif 000002
【図２】
0003768139.tif 000003
【図３】
0003768139.tif 000004
【図４】
0003768139.tif 000005
【図５】
0003768139.tif 000006
【図６】
0003768139.tif 000007